【事件の表示】
　特願２０００−１７１２０６「生命保険契約の契約転換処理システム」拒絶査定不服審判事件〔平成１３年１２月２１日出願公開、特開２００１−３５０９２５〕について、次のとおり審決する。
【結　論】
　本件審判の請求は、成り立たない。
【理　由】
１．手続の経緯
　本願は、平成１２年６月７日の出願であって、平成１５年１０月２日付で拒絶査定がなされ、これに対し、同年１１月１２日に拒絶査定に対する審判請求がなされるとともに、同年１２月１２日付で手続補正がなされ、平成１９年５月３１日付で平成１５年１２月１２日付の手続補正が却下され、同年６月２１日付で拒絶理由通知がなされ、これに対して、平成１９年８月２７日付で手続補正がなされ、さらに、平成２０年９月２９日付で最後の拒絶理由通知がなされ、これに対して、同年１２月５日付で手続補正がなされたものである。
　
２．平成２０年１２月５日付の手続補正についての補正却下の決定
［補正却下の決定の結論］
　　平成２０年１２月５日付の手続補正を却下する。
［理由］
（１）補正の内容
　平成２０年１２月５日付の手続補正（以下、「本件補正」という。）により、請求項１は、
「顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約情報を契約番号と関連づけて記憶する契約ファイルと、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段と、
　前記契約ファイルから呼び出して表示した既存保険契約情報から顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　顧客が希望する新契約の保険種類・保険金額・保険料率・払済保険料の保険金額転換レートを含む保険要項情報を入力する入力手段と、
を有する、生命保険契約の契約転換処理システムにおいて、
　前記入力手段によって入力された新契約の保険要項情報と前記転換価格計算手段により計算された既存保険契約の転換価格とに基づいて、該転換価格を払済保険料として新契約に充当したときの、新契約の払込保険料（１）を以下の式
　払込保険料（１）＝α・（Ｓ−β・Ｃ）
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
から計算する払込保険料（１）計算手段と、
　払込保険料（１）計算手段により求めた払込保険料（１）に基づいて、新契約の初回から所定回数の保険料を該転換価格から充当するときの、一回分の保険料を以下の式
　充当保険料＝払込保険料（１）／（１−ｋ・α・β）
　　　　　　　　　　但し、α：新契約の保険料率
　　　　　　　　　　　　　β：新契約の払済保険料の保険金額転換レート
　　　　　　　　　　　　　ｋ：転換価格から減じる保険料の所定回数
から計算する充当保険料計算手段と、
　前記充当保険料計算手段によって求めた充当保険料に基づいて、充当保険料の所定回数分を該転換価格から減じた金額を払済保険料として新契約に充当したときの、新契約の払込保険料（２）を以下の式
　払込保険料（２）＝α・｛Ｓ−β・（Ｃ−ｋ・充当保険料）｝
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算する払込保険料（２）計算手段と、
　該払込保険料（２）計算手段から求めた払込保険料（２）を新契約の払込保険料として契約転換申込書を出力する出力手段と、
を有する、生命保険契約の契約転換処理システム。」
と補正された。
　また、本件補正により、請求項２は、
「顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約情報を契約番号と関連づけて記憶する契約ファイルと、を備え、
　前記顧客ファイルの保有保険契約情報と前記契約ファイルに契約番号と関連づけて記憶された既存保険契約の保険金額及び基本保険料から契約者の取引量を所定の算式を用いて算出し、その取引量に応じて所定数のランクを定めて段階的に割引率を設定し、その割引率に基づいて保険料を算出する保険料算出システムにおいて、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段と、
　顧客が希望する新契約の保険種類・保険金額・保険料率・払済保険料の保険金額転換レートを含む保険要項情報を入力する入力手段と、
　前記契約ファイルから呼び出して表示した既存保険契約情報から顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　前記入力手段によって入力された新契約の保険要項情報と前記転換価格計算手段により計算された既存保険契約の転換価格とに基づいて、該転換価格を払済保険料として新契約に充当したときの、新契約の初回から所定回数の保険料を該転換価格から充当するときの一回分の保険料を、最低のランクの保険料率に仮置きして、以下の式（Ａ）
　　充当保険料＝α１・（Ｓ−β・Ｃ）／（１−ｋ・α１・β）
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算し、
　上記式から求めた充当保険料に基づいて、充当保険料の所定回数分を該転換価格から減じた金額を払済保険料として新契約に充当したときの、新契約の払込保険料を以下の式（Ｂ）
　払込保険料＝α１・｛Ｓ−β・（Ｃ−ｋ・充当保険料）｝
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算し、
　上記式から求めた払込保険料の金額と新契約の保険金額から所定の算式を用いて算出した契約者の取引量が仮置きしたランクに該当するか否か判断し、
　仮置きしたランクに該当すると判断した場合には仮置きしたランクに基づいて計算された払込保険料を新契約の払込保険料と決定して契約転換申込書を出力し、
　仮置きしたランクに該当しないと判断した場合には、新契約の保険料率を一段階高いランクの保険料率に仮置きして上記の式（Ａ）と式（Ｂ）とから払込保険料を計算し、求めた払込保険料の金額と新契約の保険金額から所定の算式を用いて算出した契約者の取引量が前段階のランクに該当するか否か判断し、
　前段階のランクに該当すると判断した場合にはエラー表示を出力させ、
　前段階のランクに該当しないと判断した場合には今回仮置きした保険料率のランクに該当するか否か判断し、
　今回仮置きした保険料率のランクに該当すると判断した場合には仮置きしたランクに基づいて計算された払込保険料を新契約の払込保険料と決定して契約転換申込書を出力し、
　今回仮置きした保険料率のランクに該当しないと判断した場合はさらに仮置きする保険料率を一段階高いランクの新契約の保険料率に引き上げて、上記の式（Ａ）と式（Ｂ）とから引き上げた段階のランクの払込保険料を計算する処理以降を払込保険料が決定されるまで仮置きするランクを順次引き上げながら繰り返し、
　最高位のランクに仮置きして計算しても払込保険料が決定できなかった場合はエラー表示を出力させる、払込保険料計算手段と、
を有する、生命保険契約の契約転換処理システム。」
と補正された。
　また、本件補正により、請求項３は、
「顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約情報を契約番号と関連づけて記憶する契約ファイルと、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段と、
　前記契約ファイルから呼び出して表示した既存保険契約情報から顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　顧客が希望する新契約の保険種類・保険金額・保険料率・払済保険料の保険金額転換レートを含む保険要項情報を入力する入力手段と、
を有する、生命保険契約の契約転換処理システムにおいて、
　前記入力手段によって入力された新契約の保険要項情報と前記転換価格計算手段により計算された既存保険契約の転換価格とに基づいて、該転換価格を払済保険料として新契約に充当したときの、新契約の払込保険料（１）を以下の式
　払込保険料（１）＝α・（Ｓ−β・Ｃ）
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
から計算するステップと、
　求めた払込保険料（１）に基づいて、新契約の初回から所定回数の保険料を該転換価格から充当するときの、一回分の保険料を以下の式
　充当保険料＝払込保険料（１）／（１−ｋ・α・β）
　　　　　　　　　　但し、α：新契約の保険料率
　　　　　　　　　　　　　β：新契約の払済保険料の保険金額転換レート
　　　　　　　　　　　　　ｋ：転換価格から減じる保険料の所定回数
から計算するステップと、
　求めた充当保険料に基づいて、充当保険料の所定回数分を該転換価格から減じた金額を払済保険料として新契約に充当したときの、新契約の払込保険料（２）を以下の式
　払込保険料（２）＝α・｛Ｓ−β・（Ｃ−ｋ・充当保険料）｝
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　求めた払込保険料（２）を新契約の払込保険料として契約転換申込書を出力するステップと、
を有する生命保険契約の契約転換処理方法。」
と補正された。
　また、本件補正により、請求項４は、
「顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約情報を契約番号と関連づけて記憶する契約ファイルと、を備え、
　前記顧客ファイルの保有保険契約情報と前記契約ファイルの契約番号に関連づけて記憶された既存保険契約の保険金額及び基本保険料から契約者の取引量を所定の算式を用いて算出し、その取引量に応じて所定数のランクを定めて段階的に割引率を設定し、その割引率に基づいて保険料を算出する保険料算出システムにおいて、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示するステップと、
　顧客が希望する新契約の保険種類・保険金額・保険料率・払済保険料の保険金額転換レートを含む保険要項情報の入力を受けるステップと、
　前記契約ファイルから呼び出して表示した既存保険契約情報から顧客が選択した既存保険契約の転換価格を既存保険契約情報呼出し手段によって呼び出された既存保険契約情報中の責任準備金・配当金を含む既存契約の蓄積金額を合計することにより計算するステップと、
　入力された新契約の保険要項情報と計算された既存保険契約の転換価格とに基づいて、該転換価格を払済保険料として新契約に充当したときの、新契約の初回から所定回数の保険料を該転換価格から充当するときの一回分の保険料を、最低のランクの保険料率に仮置きして、以下の式（Ａ）
　　充当保険料＝α１・（Ｓ−β・Ｃ）／（１−ｋ・α１・β）
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた充当保険料に基づいて、充当保険料の所定回数分を該転換価格から減じた金額を払済保険料として新契約に充当したときの、新契約の払込保険料を以下の式（Ｂ）
　払込保険料＝α１・｛Ｓ−β・（Ｃ−ｋ・充当保険料）｝
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた払込保険料の金額と新契約の保険金額から所定の算式を用いて算出した契約者の取引量が仮置きしたランクに該当するか否か判断するステップと、
　仮置きしたランクに該当すると判断した場合には仮置きしたランクに基づいて計算された払込保険料を新契約の払込保険料と決定して契約転換申込書を出力するステップと、
　仮置きしたランクに該当しないと判断した場合には、新契約の保険料率を一段階高いランクの保険料率に仮置きして上記の式（Ａ）と式（Ｂ）とから払込保険料を計算するステップと、
　求めた払込保険料の金額と新契約の保険金額から所定の算式を用いて算出した契約者の取引量が前段階のランクに該当するか否か判断するステップと、
　前段階のランクに該当すると判断した場合にはエラー表示を出力させるステップと、
　前段階のランクに該当しないと判断した場合には今回仮置きした保険料率のランクに該当するか否か判断するステップと、
　今回仮置きした保険料率のランクに該当すると判断した場合には仮置きしたランクに基づいて計算された払込保険料を新契約の払込保険料と決定して契約転換申込書を出力するステップと、
　今回仮置きした保険料率のランクに該当しないと判断した場合はさらに仮置きする保険料率を一段階高いランクの新契約の保険料率に引き上げて、上記の式（Ａ）と式（Ｂ）とから引き上げた段階のランクの払込保険料を計算するステップ以降を払込保険料が決定されるまで仮置きするランクを順次引き上げながら繰り返すステップと、
　最高位のランクに仮置きして計算しても払込保険料が決定できなかった場合はエラー表示を出力させるステップと、
を有する、生命保険契約の契約転換処理方法。」
と補正された。
　また、本件補正により、請求項５は、
「顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約情報を契約番号と関連づけて記憶する契約ファイルと、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段と、
　前記契約ファイルから呼び出して表示した既存保険契約情報から顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　顧客が希望する新契約の保険種類・保険金額・保険料率・払済保険料の保険金額転換レートを含む保険要項情報を入力する入力手段と、
を有する、生命保険契約の契約転換処理システムにおいて、
　前記入力手段によって入力された新契約の保険要項情報と前記転換価格計算手段により計算された既存保険契約の転換価格とに基づいて、該転換価格を払済保険料として新契約に充当したときの、新契約の払込保険料（１）を以下の式
　払込保険料（１）＝α・（Ｓ−β・Ｃ）
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
から計算するステップと、
　求めた払込保険料（１）に基づいて、新契約の初回から所定回数の保険料を該転換価格から充当するときの、一回分の保険料を以下の式
　充当保険料＝払込保険料（１）／（１−ｋ・α・β）
　　　　　　　　　　但し、α：新契約の保険料率
　　　　　　　　　　　　　β：新契約の払済保険料の保険金額転換レート
　　　　　　　　　　　　　ｋ：転換価格から減じる保険料の所定回数
から計算するステップと、
　求めた充当保険料に基づいて、充当保険料の所定回数分を該転換価格から減じた金額を払済保険料として新契約に充当したときの、新契約の払込保険料（２）を以下の式
　払込保険料（２）＝α・｛Ｓ−β・（Ｃ−ｋ・充当保険料）｝
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　求めた払込保険料（２）を新契約の払込保険料として契約転換申込書を出力するステップと、
をコンピュータに実行させるプログラムを記録したコンピュータ読み取り可能な記録媒体。」
と補正された。
　さらに、本件補正により、請求項６は、
「顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約情報を契約番号と関連づけて記憶する契約ファイルと、を備え、
　前記顧客ファイルの保有保険契約情報と前記契約ファイルの契約番号に関連づけて記憶された既存保険契約の保険金額及び基本保険料から契約者の取引量を所定の算式を用いて算出し、その取引量に応じて所定数のランクを定めて段階的に割引率を設定し、その割引率に基づいて保険料を算出する保険料算出システムにおいて、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示するステップと、
　顧客が希望する新契約の保険種類・保険金額・保険料率・払済保険料の保険金額転換レートを含む保険要項情報の入力を受けるステップと、
　前記契約ファイルから呼び出して表示した既存保険契約情報から顧客が選択した既存保険契約の転換価格を既存保険契約情報呼出し手段によって呼び出された既存保険契約情報中の責任準備金・配当金を含む既存契約の蓄積金額を合計することにより計算するステップと、
　入力された新契約の保険要項情報と計算された既存保険契約の転換価格とに基づいて、該転換価格を払済保険料として新契約に充当したときの、新契約の初回から所定回数の保険料を該転換価格から充当するときの一回分の保険料を、最低のランクの保険料率に仮置きして、以下の式（Ａ）
　　充当保険料＝α１・（Ｓ−β・Ｃ）／（１−ｋ・α１・β）
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた充当保険料に基づいて、充当保険料の所定回数分を該転換価格から減じた金額を払済保険料として新契約に充当したときの、新契約の払込保険料を以下の式（Ｂ）
　払込保険料＝α１・｛Ｓ−β・（Ｃ−ｋ・充当保険料）｝
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた払込保険料の金額と新契約の保険金額から所定の算式を用いて算出した契約者の取引量が仮置きしたランクに該当するか否か判断するステップと、
　仮置きしたランクに該当すると判断した場合には仮置きしたランクに基づいて計算された払込保険料を新契約の払込保険料と決定して契約転換申込書を出力するステップと、
　仮置きしたランクに該当しないと判断した場合には、新契約の保険料率を一段階高いランクの保険料率に仮置きして上記の式（Ａ）と式（Ｂ）とから払込保険料を計算するステップと、
　求めた払込保険料の金額と新契約の保険金額から所定の算式を用いて算出した契約者の取引量が前段階のランクに該当するか否か判断するステップと、
　前段階のランクに該当すると判断した場合にはエラー表示を出力させるステップと、
　前段階のランクに該当しないと判断した場合には今回仮置きした保険料率のランクに該当するか否か判断するステップと、
　今回仮置きした保険料率のランクに該当すると判断した場合には仮置きしたランクに基づいて計算された払込保険料を新契約の払込保険料と決定して契約転換申込書を出力するステップと、
　今回仮置きした保険料率のランクに該当しないと判断した場合はさらに仮置きする保険料率を一段階高いランクの新契約の保険料率に引き上げて、上記の式（Ａ）と式（Ｂ）とから引き上げた段階のランクの払込保険料を計算するステップ以降を払込保険料が決定されるまで仮置きするランクを順次引き上げながら繰り返すステップと、
　最高位のランクに仮置きして計算しても払込保険料が決定できなかった場合はエラー表示を出力させるステップと、
をコンピュータに実行させるプログラムを記録したコンピュータ読み取り可能な記録媒体。」
　
（２）新規事項の追加について
（２−１）請求人の主張
　特許法第１７条の２第３項の規定に関する審判請求人の主張の概要は、平成２０年１２月５日付の意見書の記載からみて、以下のとおりである。
『＜１＞拒絶理由Ａについて
　「契約転換制度」は、契約中の生命保険を解約することなく、その責任準備金や配当金などの蓄積部分を転換価格として、新しい契約の一部に充当する制度として、本願の出願日である平成１２年６月７日よりかなり前から（前回提出致しました添付資料１．１２４頁に昭和５０年１１月以後、多くの会社が契約転換制度を導入したとの記載がある）行なわれており、本願の出願時において、この契約転換に係る処理をコンピュータシステムで実行することは、どの生命保険会社においても当たり前に行なわれておりました。そして、契約転換を検討する顧客に対して、既存の生命保険契約の情報を提示するのは、契約転換を検討するに当たって必須の事項であり、これを行わなければ契約転換処理システムは成立致しません。このように、契約転換を検討する顧客に、既存の生命保険契約の情報を提示するのは従前から普通に行われてきた処理であります。そのため、段落【００２１】でのシステム動作説明において、顧客の名前及び生年月日を入力し（Ｓ１）、顧客ファイル９ａから顧客を特定することによって、その顧客の既存契約を契約ファイル９ｂから呼出し表示するのは、あまりにも所与の処理であったため、かえって記載が不十分なものになってしまいました。
　審判官殿よりご指摘を受けた段落【００２０】で記載した「各顧客のデータ」は顧客ファイル９ａに格納された顧客のデータですが、段落【００２１】で記載した「当該顧客データ」は、その顧客についての既存保険契約を含めたすべてのデータを意味するものとして記載したものです。それは、図４に示したフローチャートのステップＳ２の内容が「既存保険契約の呼出し・表示・確認」と記載され、段落【００２１】のステップＳ２の説明に続いて、「次に、顧客が契約転換を希望する既存の保険契約を選択し、初回保険料キャッシュレス契約転換申込処理モードに移行する（Ｓ３）。」と記載されていることから明らかだと考えます。なぜならば、上記の記載から、ステップＳ２における表示は、顧客が契約転換を希望する既存の保険契約を選択するためのものであり、契約転換を希望する既存の保険契約を選択するためには、顧客ファイル９ａに含まれている契約番号のみを表示しても契約内容を確認出来ないため契約を選択することは不可能であり、契約転換を希望する既存の保険契約を選択するためには、契約の内容を表示することが所与の前提であるからです。そして、顧客ファイル９ａには顧客毎に既存保険契約の全ての契約番号を記憶する保有保険契約情報が記憶されており、契約ファイル９ｂには各既存保険契約の情報が契約番号と関連づけて記憶されていることが開示されていれば、ある顧客の既存保険契約を呼び出して表示するための方法は、当該顧客を特定する姓名・生年月日を入力して顧客ファイル９ａから保有保険契約情報を取得し、取得した保有保険契約情報の契約番号に対応する既存保険契約情報を契約ファイル９ｂから呼び出して表示する以外の方法はあり得ないことは、システムの専門家でなくとも、多少ともデータベースについての知識のある者であれば、誰でも容易に理解出来ることです。
　従って、取得した保有保険契約情報の契約番号に対応した既存保険契約情報を契約ファイルから呼び出して表示することは、段落【００２０】、段落【００２１】及び図４の記載から自明な事項であり、平成１９年８月２７日付けでした手続補正は、新規事項を追加するものではないと考えます。』
　
（２−２）当初明細書等の記載事項について
　顧客ファイルと契約ファイルの構成、及び契約転換を希望する既存の保険契約の選択について、願書に最初に添付した明細書又は図面（以下「当初明細書等」という。）には、以下の事項が記載されている。 
（ア）「【００２０】 
　図３（ａ）は、顧客ファイル９ａのデータ構造を示す。顧客ファイル９ａには、顧客番号２５とリンクして、顧客の名前２７、生年月日２９、住所３１が格納され、さらにその下位に保有契約情報３３等が格納されている。保有契約情報３３としては、顧客が今までに締結した保険契約の契約番号３７（証券番号）がすべて格納されている。各顧客のデータは、顧客番号２５、名前２７、生年月日２９及び住所３１をキー項目として検索可能である。図３（ｂ）は、契約ファイル９ｂのデータ構造を示す。契約ファイル９ｂには、各契約の契約内容（契約年月日３９、保険種類４０、保険金額４１、保険料４２等）が、契約番号３７ごとに格納されている。 
　　　【００２１】 
　次に、図４のフローチャートに基づいて本システムの動作について説明する。顧客から初回保険料キャッシュレス契約転換を利用した契約転換の申し込みがあったときは、図２中の支部３において、端末装置１９あるいは携帯情報端末２３を用いて、顧客の名前及び生年月日を入力し（Ｓ１）、顧客ファイル９ａ（図３参照）にアクセスして当該顧客データを呼び出し、端末装置１９あるいは携帯情報端末２３の表示装置に表示させる（Ｓ２）。次に、顧客が契約転換を希望する既存の保険契約を選択し、初回保険料キャッシュレス契約転換申込処理モードに移行する（Ｓ３）。初回保険料キャッシュレス契約転換申込処理では、顧客が希望する新しい保険契約の保険要項（保険種類、保険金額等）を入力する（Ｓ４）。一方、現在契約中の保険契約の転換価格Ｃ（責任準備金や配当金など）を計算する（Ｓ５）。」 
 　 
（イ）図４（「Ｓ２」に「既存保険契約の呼出し・表示・確認」と記載されている。）
　
（２−３）新規事項追加についての判断
　上記摘記事項（ア）の記載からみて、上記摘記事項（ア）には、顧客ファイルから保有保険契約情報を取得し、顧客ファイルから取得した保有保険契約情報を表示されていることが記載されているものの、契約ファイルをアクセスすることは記載されていないため、取得した保有保険契約情報の契約番号に対応した既存保険契約情報を契約ファイルから呼び出して表示することが上記摘記事項には記載されておらず、また、それらの記載から自明な事項とも認められない。 
　また、請求人は、『契約転換を検討する顧客に対して、既存の生命保険契約の情報を提示するのは、契約転換を検討するに当たって必須の事項であり、これを行わなければ契約転換処理システムは成立致しません。このように、契約転換を検討する顧客に、既存の生命保険契約の情報を提示するのは従前から普通に行われてきた処理であります。そのため、段落【００２１】でのシステム動作説明において、顧客の名前及び生年月日を入力し（Ｓ１）、顧客ファイル９ａから顧客を特定することによって、その顧客の既存契約を契約ファイル９ｂから呼出し表示するのは、あまりにも所与の処理であったため、かえって記載が不十分なものになってしまいました。審判官殿よりご指摘を受けた段落【００２０】で記載した「各顧客のデータ」は顧客ファイル９ａに格納された顧客のデータですが、段落【００２１】で記載した「当該顧客データ」は、その顧客についての既存保険契約を含めたすべてのデータを意味するものとして記載したものです。それは、図４に示したフローチャートのステップＳ２の内容が「既存保険契約の呼出し・表示・確認」と記載され、段落【００２１】のステップＳ２の説明に続いて、「次に、顧客が契約転換を希望する既存の保険契約を選択し、初回保険料キャッシュレス契約転換申込処理モードに移行する（Ｓ３）。」と記載されていることから明らかだと考えます。なぜならば、上記の記載から、ステップＳ２における表示は、顧客が契約転換を希望する既存の保険契約を選択するためのものであり、契約転換を希望する既存の保険契約を選択するためには、顧客ファイル９ａに含まれている契約番号のみを表示しても契約内容を確認出来ないため契約を選択することは不可能であり、契約転換を希望する既存の保険契約を選択するためには、契約の内容を表示することが所与の前提であるからです。』と主張しているので、当該主張について以下に検討する。
　上記摘記事項（ア）からみて、既存契約情報を契約ファイルから読み出し、表示して契約転換の検討を行うことが記載されているとは認められず、上記摘記事項（ア）の記載から自明な事項であるは認められず、また、契約転換申込の際に既存保険契約情報を「契約ファイル（９ｂ）」から呼び出して表示し、契約転換の検討を行うことは必ずしも必要があるとは認められない。
　また、上記摘記事項（イ）の記載からみて、図４のフローチャートのステップＳ２の「既存保険契約」が「保険契約番号」などの「保有契約情報」であるのか、「契約年月日」、「保険種類」、「保険金額」、「保険料」等の「保険契約の契約内容」であるのか図４の記載からみて明らかでなく、また、上記の段落【００２１】の記載からみて、「顧客ファイル（９ａ）」をアクセスしているので、「既存の保険契約」は「保険契約番号」などの「保有契約情報」であると解すべきである。
　また、上記の段落【００２１】の「端末装置１９あるいは携帯情報端末２３を用いて、顧客の名前及び生年月日を入力し（Ｓ１）、顧客ファイル９ａ（図３参照）にアクセスして当該顧客データを呼び出し、端末装置１９あるいは携帯情報端末２３の表示装置に表示させる（Ｓ２）。」の記載からみて、「当該顧客データ」は「顧客ファイル９ａ」がアクセスされており、「契約ファイル（９ｂ）」はアクセスされていないので、同段落【００２１】の「当該顧客データ」は、「顧客ファイル９ａ」に記憶されたデータのみであり、「契約ファイル（９ｂ）」に記憶されたデータは含まないと解すべきである。
　したがって、審判請求人の上記主張を採用することができず、請求項１に記載された「入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段」の事項及び「前記契約ファイルから呼び出して表示した既存保険契約情報から顧客が選択した既存保険契約」、請求項２に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項及び「前記契約ファイルから呼び出して表示した既存保険契約情報から顧客が選択した既存保険契約」との事項、請求項３に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項及び「前記契約ファイルから呼び出して表示した既存保険契約情報から顧客が選択した既存保険契約」との事項、請求項４の「入力された顧客の姓名・生年月日に基づいて前記顧客ファイルから保有保険契約情報を取得し、取得した保有保険契約情報の契約番号に対応する既存保険契約情報を前記契約ファイルから呼び出して表示するステップ」との事項及び「前記契約ファイルから呼び出して表示した既存保険契約情報から顧客が選択した既存保険契約」、請求項５に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項及び「前記契約ファイルから呼び出して表示した既存保険契約情報から顧客が選択した既存保険契約」との事項、及び請求項６の「入力された顧客の姓名・生年月日に基づいて前記顧客ファイルから保有保険契約情報を取得し、取得した保有保険契約情報の契約番号に対応する既存保険契約情報を前記契約ファイルから呼び出して表示するステップ」との事項及び「前記契約ファイルから呼び出して表示した既存保険契約情報から顧客が選択した既存保険契約」との事項は、当初明細書等には記載されておらず、また、それらの記載から自明な事項とも認められない。 
　よって、平成２０年１２月５日付でした手続補正は、新たな技術的事項を導入するものであり、新規事項を追加するものであるので、本件補正は、平成１４年法律第２４号改正附則第３条第１項によりなお従前の例によるとされる同法による改正前の特許法第１７条の２第３項の規定に違反する。 
　
（２−４）まとめ
　以上のとおり、本件補正は、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。 
　
３．特許請求の範囲の記載について
　平成２０年１２月５日付の手続補正は上記のとおり却下されたので、特許請求の範囲の記載は、平成１９年８月２７日付の手続補正書の特許請求の範囲に記載された以下のとおりである。
「【請求項１】
　顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約の情報を契約番号と関連づけて記憶する契約ファイルと、
　入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段と、
　顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　顧客が希望する新契約の保険種類・保険金額・保険料率・払済保険料の保険金額転換レートを含む保険要項情報を入力する入力手段と、
を有する、生命保険契約の契約転換処理システムにおいて、
　前記入力手段によって入力された新契約の保険要項情報と前記転換価格計算手段により計算された既存保険契約の転換価格とに基づいて、該転換価格を払済保険料として新契約に充当したときの、新契約の払込保険料（１）を以下の式
　払込保険料（１）＝α・（Ｓ−β・Ｃ）
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
から計算する払込保険料（１）計算手段と、
　払込保険料（１）計算手段により求めた払込保険料（１）に基づいて、新契約の初回から所定回数の保険料を該転換価格から充当するときの、一回分の保険料を以下の式
　充当保険料＝払込保険料（１）／（１−ｋ・α・β）
　　　　　　　　　　但し、α：新契約の保険料率
　　　　　　　　　　　　　β：新契約の払済保険料の保険金額転換レート
　　　　　　　　　　　　　ｋ：転換価格から減じる保険料の所定回数
から計算する充当保険料計算手段と、
　前記充当保険料計算手段によって求めた充当保険料に基づいて、充当保険料の所定回数分を該転換価格から減じた金額を払済保険料として新契約に充当したときの、新契約の払込保険料（２）を以下の式
　払込保険料（２）＝α・｛Ｓ−β・（Ｃ−ｋ・充当保険料）｝
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算する払込保険料（２）計算手段と、
　該払込保険料（２）計算手段から求めた払込保険料（２）を新契約の払込保険料として契約転換申込書を出力する出力手段と、
を有する、生命保険契約の契約転換処理システム。
【請求項２】
　顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約の情報を契約番号と関連づけて記憶する契約ファイルと、を備え、
　前記顧客ファイルの保有保険契約情報と前記契約ファイルに契約番号と関連づけて記憶された既存保険契約の保険金額及び基本保険料とに基づいて契約者の取引量を算出し、その取引量に応じて所定数のランクを定めて段階的に割引率を設定し、その割引率に基づいて保険料を算出する保険料算出システムにおいて、
　入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段と、
　顧客が希望する新契約の保険種類・保険金額・保険料率・払済保険料の保険金額転換レートを含む保険要項情報を入力する入力手段と、
　顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　前記入力手段によって入力された新契約の保険要項情報と前記転換価格計算手段により計算された既存保険契約の転換価格とに基づいて、該転換価格を払済保険料として新契約に充当したときの、新契約の初回から所定回数の保険料を該転換価格から充当するときの一回分の保険料を、最低のランクの保険料率に仮置きして、以下の式（Ａ）
　　充当保険料＝α１・（Ｓ−β・Ｃ）／（１−ｋ・α１・β）
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算し、
　上記式から求めた充当保険料に基づいて、充当保険料の所定回数分を該転換価格から減じた金額を払済保険料として新契約に充当したときの、新契約の払込保険料を以下の式（Ｂ）
　払込保険料＝α１・｛Ｓ−β・（Ｃ−ｋ・充当保険料）｝
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算し、
　上記式から求めた払込保険料の金額に基づいて契約者の取引量が仮置きしたランクに該当するか否か判断し、
　仮置きしたランクに該当すると判断した場合には仮置きしたランクに基づいて計算された払込保険料を新契約の払込保険料と決定して契約転換申込書を出力し、
　仮置きしたランクに該当しないと判断した場合には、新契約の保険料率を一段階高いランクの保険料率に仮置きして上記の式（Ａ）と式（Ｂ）とから払込保険料を計算し、
求めた払込保険料の金額に基づいて契約者の取引量が前段階のランクに該当するか否か判断し、
　前段階のランクに該当すると判断した場合にはエラー表示を出力させ、
　前段階のランクに該当しないと判断した場合には今回仮置きした保険料率のランクに該当するか否か判断し、
　今回仮置きした保険料率のランクに該当すると判断した場合には仮置きしたランクに基づいて計算された払込保険料を新契約の払込保険料と決定して契約転換申込書を出力し、
　今回仮置きした保険料率のランクに該当しないと判断した場合はさらに仮置きする保険料率を一段階高いランクの新契約の保険料率に引き上げて、上記の式（Ａ）と式（Ｂ）とから引き上げた段階のランクの払込保険料を計算する処理以降を払込保険料が決定されるまで仮置きするランクを順次引き上げながら繰り返し、
　最高位のランクに仮置きして計算しても払込保険料が決定できなかった場合はエラー表示を出力させる、払込保険料計算手段と、
を有する、生命保険契約の契約転換処理システム。
【請求項３】
　顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約の情報を契約番号と関連づけて記憶する契約ファイルと、
　入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段と、
　顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　顧客が希望する新契約の保険種類・保険金額・保険料率・払済保険料の保険金額転換レートを含む保険要項情報を入力する入力手段と、
を有する、生命保険契約の契約転換処理システムにおいて、
　前記入力手段によって入力された新契約の保険要項情報と前記転換価格計算手段により計算された既存保険契約の転換価格とに基づいて、該転換価格を払済保険料として新契約に充当したときの、新契約の払込保険料（１）を以下の式
　払込保険料（１）＝α・（Ｓ−β・Ｃ）
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
から計算するステップと、
　求めた払込保険料（１）に基づいて、新契約の初回から所定回数の保険料を該転換価格から充当するときの、一回分の保険料を以下の式
　充当保険料＝払込保険料（１）／（１−ｋ・α・β）
　　　　　　　　　　但し、α：新契約の保険料率
　　　　　　　　　　　　　β：新契約の払済保険料の保険金額転換レート
　　　　　　　　　　　　　ｋ：転換価格から減じる保険料の所定回数
から計算するステップと、
　求めた充当保険料に基づいて、充当保険料の所定回数分を該転換価格から減じた金額を払済保険料として新契約に充当したときの、新契約の払込保険料（２）を以下の式
　払込保険料（２）＝α・｛Ｓ−β・（Ｃ−ｋ・充当保険料）｝
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　求めた払込保険料（２）を新契約の払込保険料として契約転換申込書を出力するステップと、
を有する生命保険契約の契約転換処理方法。
【請求項４】
　顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約の情報を契約番号と関連づけて記憶する契約ファイルと、を備え、
　前記顧客ファイルの保有保険契約情報と前記契約ファイルの契約番号に関連づけて記憶された既存保険契約の保険金額及び基本保険料に基づいて契約者の取引量を算出し、その取引量に応じて所定数のランクを定めて段階的に割引率を設定し、その割引率に基づいて保険料を算出する保険料算出システムにおいて、
　入力された顧客の姓名・生年月日に基づいて前記顧客ファイルから保有保険契約情報を取得し、取得した保有保険契約情報の契約番号に対応する既存契約契約情報を前記契約ファイルから呼び出すステップと、
　顧客が希望する新契約の保険種類・保険金額・保険料率・払済保険料の保険金額転換レートを含む保険要項情報の入力を受けるステップと、
　顧客が選択した既存保険契約の転換価格を既存保険契約情報呼出し手段によって呼び出された既存保険契約情報中の責任準備金・配当金を含む既存契約の蓄積金額を合計することにより計算するステップと、
　入力された新契約の保険要項情報と計算された既存保険契約の転換価格とに基づいて、該転換価格を払済保険料として新契約に充当したときの、新契約の初回から所定回数の保険料を該転換価格から充当するときの一回分の保険料を、最低のランクの保険料率に仮置きして、以下の式（Ａ）
　　充当保険料＝α１・（Ｓ−β・Ｃ）／（１−ｋ・α１・β）
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた充当保険料に基づいて、充当保険料の所定回数分を該転換価格から減じた金額を払済保険料として新契約に充当したときの、新契約の払込保険料を以下の式（Ｂ）
　払込保険料＝α１・｛Ｓ−β・（Ｃ−ｋ・充当保険料）｝
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた払込保険料の金額に基づいて契約者の取引量が仮置きしたランクに該当するか否か判断するステップと、
　仮置きしたランクに該当すると判断した場合には仮置きしたランクに基づいて計算された払込保険料を新契約の払込保険料と決定して契約転換申込書を出力するステップと、
　仮置きしたランクに該当しないと判断した場合には、新契約の保険料率を一段階高いランクの保険料率に仮置きして上記の式（Ａ）と式（Ｂ）とから払込保険料を計算するステップと、
　求めた払込保険料の金額に基づいて契約者の取引量が前段階のランクに該当するか否か判断するステップと、
　前段階のランクに該当すると判断した場合にはエラー表示を出力させるステップと、
　前段階のランクに該当しないと判断した場合には今回仮置きした保険料率のランクに該当するか否か判断するステップと、
　今回仮置きした保険料率のランクに該当すると判断した場合には仮置きしたランクに基づいて計算された払込保険料を新契約の払込保険料と決定して契約転換申込書を出力するステップと、
　今回仮置きした保険料率のランクに該当しないと判断した場合はさらに仮置きする保険料率を一段階高いランクの新契約の保険料率に引き上げて、上記の式（Ａ）と式（Ｂ）とから引き上げた段階のランクの払込保険料を計算するステップ以降を払込保険料が決定されるまで仮置きするランクを順次引き上げながら繰り返すステップと、
　最高位のランクに仮置きして計算しても払込保険料が決定できなかった場合はエラー表示を出力させるステップと、
を有する、生命保険契約の契約転換処理方法。
【請求項５】
　顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約の情報を契約番号と関連づけて記憶する契約ファイルと、
　入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段と、
　顧客が選択した既存保険契約の転換価格を既存保険契約情報呼出し手段によって呼び出された既存保険契約情報中の責任準備金・配当金を含む既存契約の蓄積金額を合計することにより求める転換価格計算手段と、
　顧客が希望する新契約の保険種類・保険金額・保険料率・払済保険料の保険金額転換レートを含む保険要項情報を入力する入力手段と、
を有する、生命保険契約の契約転換処理システムにおいて、
　前記入力手段によって入力された新契約の保険要項情報と前記転換価格計算手段により計算された既存保険契約の転換価格とに基づいて、該転換価格を払済保険料として新契約に充当したときの、新契約の払込保険料（１）を以下の式
　払込保険料（１）＝α・（Ｓ−β・Ｃ）
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
から計算するステップと、
　求めた払込保険料（１）に基づいて、新契約の初回から所定回数の保険料を該転換価格から充当するときの、一回分の保険料を以下の式
　充当保険料＝払込保険料（１）／（１−ｋ・α・β）
　　　　　　　　　　但し、α：新契約の保険料率
　　　　　　　　　　　　　β：新契約の払済保険料の保険金額転換レート
　　　　　　　　　　　　　ｋ：転換価格から減じる保険料の所定回数
から計算するステップと、
　求めた充当保険料に基づいて、充当保険料の所定回数分を該転換価格から減じた金額を払済保険料として新契約に充当したときの、新契約の払込保険料（２）を以下の式
　払込保険料（２）＝α・｛Ｓ−β・（Ｃ−ｋ・充当保険料）｝
　　　　　　　　　　但し、α：新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　求めた払込保険料（２）を新契約の払込保険料として契約転換申込書を出力するステップと、
をコンピュータに実行させるプログラムを記録したコンピュータ読み取り可能な記録媒体。
【請求項６】
　顧客毎に顧客の姓名・生年月日・住所と顧客が今までに締結した既存保険契約の全ての契約番号を記憶する保有保険契約情報とを記憶する顧客ファイルと、
　契約年月日・保険種類・保険金額・保険料・責任準備金・配当金を含む各既存保険契約の情報を契約番号と関連づけて記憶する契約ファイルと、を備え、
　前記顧客ファイルの保有保険契約情報と前記契約ファイルの契約番号に関連づけて記憶された既存保険契約の保険金額及び基本保険料に基づいて契約者の取引量を算出し、その取引量に応じて所定数のランクを定めて段階的に割引率を設定し、その割引率に基づいて保険料を算出する保険料算出システムにおいて、
　入力された顧客の姓名・生年月日に基づいて前記顧客ファイルから保有保険契約情報を取得し、取得した保有保険契約情報の契約番号に対応する既存契約情報を前記契約ファイルから呼び出すステップと、
　顧客が希望する新契約の保険種類・保険金額・保険料率・払済保険料の保険金額転換レートを含む保険要項情報の入力を受けるステップと、
　顧客が選択した既存保険契約の転換価格を既存保険契約情報呼出し手段によって呼び出された既存保険契約情報中の責任準備金・配当金を含む既存契約の蓄積金額を合計することにより計算するステップと、
　入力された新契約の保険要項情報と計算された既存保険契約の転換価格とに基づいて、該転換価格を払済保険料として新契約に充当したときの、新契約の初回から所定回数の保険料を該転換価格から充当するときの一回分の保険料を、最低のランクの保険料率に仮置きして、以下の式（Ａ）
　　充当保険料＝α１・（Ｓ−β・Ｃ）／（１−ｋ・α１・β）
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた充当保険料に基づいて、充当保険料の所定回数分を該転換価格から減じた金額を払済保険料として新契約に充当したときの、新契約の払込保険料を以下の式（Ｂ）
　払込保険料＝α１・｛Ｓ−β・（Ｃ−ｋ・充当保険料）｝
　　　　　　　　　但し、α１：仮置きしたランクの新契約の保険料率
　　　　　　　　　　　　　β：新契約の払済保険料の保険金額転換レート
　　　　　　　　　　　　　Ｓ：新契約の保険金額
　　　　　　　　　　　　　Ｃ：既存保険契約の転換価格
　　　　　　　　　　　　　ｋ：転換価格から減じる保険料の所定回数
から計算するステップと、
　上記式から求めた払込保険料の金額に基づいて契約者の取引量が仮置きしたランクに該当するか否か判断するステップと、
　仮置きしたランクに該当すると判断した場合には仮置きしたランクに基づいて計算された払込保険料を新契約の払込保険料と決定して契約転換申込書を出力するステップと、
　仮置きしたランクに該当しないと判断した場合には、新契約の保険料率を一段階高いランクの保険料率に仮置きして上記の式（Ａ）と式（Ｂ）とから払込保険料を計算するステップと、
　求めた払込保険料の金額に基づいて契約者の取引量が前段階のランクに該当するか否か判断するステップと、
　前段階のランクに該当すると判断した場合にはエラー表示を出力させるステップと、
　前段階のランクに該当しないと判断した場合には今回仮置きした保険料率のランクに該当するか否か判断するステップと、
　今回仮置きした保険料率のランクに該当すると判断した場合には仮置きしたランクに基づいて計算された払込保険料を新契約の払込保険料と決定して契約転換申込書を出力するステップと、
　今回仮置きした保険料率のランクに該当しないと判断した場合はさらに仮置きする保険料率を一段階高いランクの新契約の保険料率に引き上げて、上記の式（Ａ）と式（Ｂ）とから引き上げた段階のランクの払込保険料を計算するステップ以降を払込保険料が決定されるまで仮置きするランクを順次引き上げながら繰り返すステップと、
　最高位のランクに仮置きして計算しても払込保険料が決定できなかった場合はエラー表示を出力させるステップと、
をコンピュータに実行させるプログラムを記録したコンピュータ読み取り可能な記録媒体。」
　
４．当審の拒絶理由の概要について
（１）特許法第１７条の２第３項に関する拒絶の理由について
　平成２０年９月２９日付の拒絶理由通知の理由Ａからみて、特許法第１７条の２第３項に関する拒絶の理由（以下「理由Ａ」という。）の概要は以下のとおりである。
「Ａ．平成１９年８月２７日付でした手続補正は、下記の点で願書に最初に添付した明細書又は図面に記載した事項の範囲内においてしたものでないから、特許法第１７条の２第３項に規定する要件を満たしていない。 
　
 　　　　　　　　　　　　　　　　　記 
　
（中略）
　したがって、請求項１に記載された「入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段」の事項、請求項２に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項、請求項３に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項、請求項５に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項は、当初明細書等には記載されておらず、また、それらの記載から自明な事項とも認められない。 
　よって、平成１９年８月２７日付でした手続補正は、新規事項を追加するものであるので、特許法第１７条の２第３項に規定する要件を満たしていない。」
　
（２）特許法第３６条第４項の規定に関する拒絶の理由について
　平成２０年９月２９日付の拒絶理由通知の理由Ｂからみて、特許法第３６条第４項に関する拒絶の理由（以下「理由Ｂ」という。）の概要は以下のとおりである。
「Ｂ．本件出願は、発明の詳細な説明の記載が下記の点で不備のため、特許法第３６条第４項に規定する要件を満たしていない。 
 　 
 　　　　　　　　　　　　　　　　　　記 
 　 
 １．発明の詳細な説明の段落【００２０】の「図３（ａ）は、顧客ファイル９ａのデータ構造を示す。顧客ファイル９ａには、顧客番号２５とリンクして、顧客の名前２７、生年月日２９、住所３１が格納され、さらにその下位に保有契約情報３３等が格納されている。保有契約情報３３としては、顧客が今までに締結した保険契約の契約番号３７（証券番号）がすべて格納されている。各顧客のデータは、顧客番号２５、名前２７、生年月日２９及び住所３１をキー項目として検索可能である。」の記載及び同【００２１】の「顧客から初回保険料キャッシュレス契約転換を利用した契約転換の申し込みがあったときは、図２中の支部３において、端末装置１９あるいは携帯情報端末２３を用いて、顧客の名前及び生年月日を入力し（Ｓ１）、顧客ファイル９ａ（図３参照）にアクセスして当該顧客データを呼び出し、端末装置１９あるいは携帯情報端末２３の表示装置に表示させる（Ｓ２）。次に、顧客が契約転換を希望する既存の保険契約を選択し、初回保険料キャッシュレス契約転換申込処理モードに移行する（Ｓ３）。初回保険料キャッシュレス契約転換申込処理では、顧客が希望する新しい保険契約の保険要項（保険種類、保険金額等）を入力する（Ｓ４）。一方、現在契約中の保険契約の転換価格Ｃ（責任準備金や配当金など）を計算する（Ｓ５）。」の記載では、顧客ファイルから顧客データを呼び出しているが、顧客ファイルの顧客データには責任準備金や配当金などのデータは含まれていないので、現在契約中の保険契約の転換価格の計算に必要な責任準備金や配当金などのデータをどのようにして取得するのか不明である。 
　したがって、発明の詳細な説明が、請求項１−６に係る発明を当業者が容易に実施できる程度に明確かつ十分に、記載されているとは認められない。 
 　 
２．発明の詳細な説明の段落【００３４】の「ところで、図４に示したフローチャートは、新契約の保険料率αが一義的に決定される場合に用いることができる。しかしながら、保険料の算出について、契約者の保険金額及び基本保険料に基づいてその取引量を算出し、その取引量に応じて段階的に割引率を設定し、その割引率に基づいて保険料を算出するような保険料算出システムが採用されている場合、初回保険料キャッシュレス契約転換処理はより複雑になる。キャッシュレス保険料の計算を開始するときに、割引率のランクが不明なので、割引ランクを仮置きしそれに基づいた保険料率で試行錯誤的にキャッシュレス保険料の計算を行わなければならないからである。」の記載では、契約者の保険金額及び基本保険料をどのように情報処理して取引量を算出するのか不明である。 
　したがって、発明の詳細な説明が、請求項２，４，及び６に係る発明を当業者が容易に実施できる程度に明確かつ十分に、記載されているとは認められない。」
　
（３）特許法第３６条第６項第２号に関する拒絶の理由について
　平成２０年９月２９日付の拒絶理由通知の理由Ｂからみて、特許法第３６条第６項第２号に関する拒絶の理由（以下「理由Ｃ」という。）の概要は以下のとおりである。
「Ｃ．本件出願は、特許請求の範囲の記載が下記の点で不備のため、特許法第３６条第６項第２号に規定する要件を満たしていない。 
　
 　　　　　　　　　　　　　　　　　　　記 
　
（中略）
２．請求項２について 
（中略）
（２）「前記顧客ファイルの保有保険契約情報と前記契約ファイルに契約番号と関連づけて記憶された既存保険契約の保険金額及び基本保険料とに基づいて契約者の取引量を算出し」の記載では、既存保険契約の保険金額及び基本保険料からどのようにして取引量を演算するのか不明である。 
（中略）
４．請求項４について 
（中略）
（２）「前記顧客ファイルの保有保険契約情報と前記契約ファイルに契約番号と関連づけて記憶された既存保険契約の保険金額及び基本保険料とに基づいて契約者の取引量を算出し」の記載では、既存保険契約の保険金額及び基本保険料からどのようにして取引量を演算するのか不明である。 
（中略）
６．請求項６について 
（中略）
（２）「前記顧客ファイルの保有保険契約情報と前記契約ファイルに契約番号と関連づけて記憶された既存保険契約の保険金額及び基本保険料とに基づいて契約者の取引量を算出し」の記載では、既存保険契約の保険金額及び基本保険料からどのようにして取引量を演算するのか不明である。 
（以下省略）」
　
５．理由Ａについて
（１）当初明細書等の記載事項
　当初明細書等の記載事項は、上記２．（２−２）に記載されたものと同じである。
　
（２）理由Ａに関する審判請求人の主張の概要について
　理由Ａに関する審判請求人の主張の概要は、上記２．（２−１）と同じである。
　
（３）新規事項についての当審の判断
　上記摘記事項（ア）からみて、既存契約情報を契約ファイルから読み出し、表示して契約転換の検討を行うことが記載されているとは認められず、上記摘記事項（ア）の記載から自明な事項であるは認められず、また、転換する契約を選択して契約転換申込を行う際に「契約ファイル９ｂ」に記憶された既存契約情報を表示して、契約転換の検討を行うことは必ずしも必要があるとは認められない。
　また、上記摘記事項（イ）からみて、図４のフローチャートのステップＳ２の「既存保険契約」が「保険契約番号」などの「保有契約情報」であるのか、「契約年月日」、「保険種類」、「保険金額」、「保険料」等の「保険契約の契約内容」であるのか図４の記載からみて明らかでなく、上記の段落【００２１】の記載からみて、顧客ファイルをアクセスしているので、「既存の保険契約」は「保有契約情報」の「保険契約番号」と解すべきである。
　また、上記の段落【００２１】の「端末装置１９あるいは携帯情報端末２３を用いて、顧客の名前及び生年月日を入力し（Ｓ１）、顧客ファイル９ａ（図３参照）にアクセスして当該顧客データを呼び出し、端末装置１９あるいは携帯情報端末２３の表示装置に表示させる（Ｓ２）。」の記載からみて、「当該顧客データ」は「顧客ファイル９ａ」がアクセスされており、「契約ファイル（９ｂ）」はアクセスされていないので、同段落の「当該顧客データ」は、「顧客ファイル９ａ」に記憶されたデータのみであり、「契約ファイル（９ｂ）」に記憶されたデータは含まないと解すべきである。
　したがって、請求項１に記載された「入力された顧客の姓名・生年月日に基づいて前記顧客ファイルから保有保険契約情報を取得し、取得した保有保険契約情報の契約番号に対応する既存保険契約情報を前記契約ファイルから呼び出して表示させる既存保険契約情報呼出し手段」の事項、請求項２に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項、請求項３に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項、請求項５に記載された「入力された顧客の姓名・生年月日に基づいて前記顧客ファイルから保有保険契約情報を取得し、取得した保有保険契約情報の契約番号に対応する既存保険契約情報を契約ファイルから呼び出して表示させる既存保険契約情報呼出し手段」の事項は、当初明細書等には記載されておらず、また、それらの記載から自明な事項とも認められない。
　
（３）まとめ
　以上のとおり、平成１９年８月２７日付でした手続補正は、新たな技術的事項を導入するものであり、新規事項を追加するものであるので、平成１４年法律第２４号改正附則第３条第１項によりなお従前の例によるとされる同法による改正前の特許法第１７条の２第３項の規定に違反する。 
　
６．理由Ｂについて
（１）理由Ｂに関する審判請求人の主張の概要について
　理由Ｂに関する審判請求人の主張の概要は、平成２０年１２月５日付の意見書からみて、以下のとおりである。
『＜２＞拒絶理由Ｂについて
１．審判官殿は、段落【００２０】及び段落【００２１】の記載について、顧客ファイルから顧客データを呼び出しているが、顧客ファイルの顧客データには責任準備金や配当金などのデータは含まれていないので、現在契約中の保険契約の転換価格の計算に必要な責任準備金や配当金などのデータをどのようにして取得するのか不明である、とご指摘になりましたが、上記の拒絶理由Ａについての項で述べましたように、段落【００２０】で記載した「各顧客のデータ」は顧客ファイル９ａに格納された顧客のデータですが、段落【００２１】で記載した「当該顧客データ」は、その顧客についての既存契約を含めたすべてのデータを意図した記載であり、既存保険契約の呼出し、表示は、図４中のステップＳ２の部分に記載した通りであります。
　また、顧客ファイル９ａには顧客毎に既存保険契約の全ての契約番号を記憶する保有保険契約情報が記憶されており、契約ファイル９ｂには各既存保険契約の情報が契約番号と関連づけて記憶されていることが開示されていれば、ある顧客の既存保険契約を呼び出して表示するための方法は、当該顧客を特定する姓名・生年月日を入力して顧客ファイル９ａから保有保険契約情報を取得し、取得した保有保険契約情報の契約番号に対応する既存保険契約情報を契約ファイル９ｂから呼び出して表示する以外の方法はあり得ないことは、システムの専門家でなくとも、多少ともデータベースについての知識のある者であれば、誰でも容易に理解出来るということも、上に述べたとおりです。
　従いまして、発明の詳細な説明には、請求項１〜６に係る発明を当業者が容易に実施できる程度に明確かつ十分に記載されているものと考えます。
　
２．審判官殿は、請求項２、請求項４及び請求項６に関し、段落【００３４】に記載する「保険料の算出について、契約者の保険金額及び基本保険料に基づいてその取引量を算出し、その取引量に応じて段階的に割引率を設定し、その割引率に基づいて保険料を算出するような保険料算出システム」において、契約者の保険金額及び基本保険料をどのように情報処理して取引量を算出するのか不明であるとご指摘になりました。
　ここで、本出願人が請求項を記載するに際して、「・・・・システムにおいて」のように「おいて」の語句を使用する場合は、「おいて」より前に記載している事項は既存の技術であることを示すために用いていることを予めご留意いただけますよう申し上げます。
そのルールは、すべての請求項の記載において共通しております。
　段落【００３４】に記載されている保険料算出システム（すなわち、請求項２、請求項４及び請求項６の、「おいて」より前に記載した保険料算出システム）は、本出願人においては平成１１年４月２日から実施しており、その事実を示すために添付資料５．を提出致します。なお、添付資料５．は、顧客向けに作成したものであり、割引率をどのように算出するかについての詳細は記載されておりませんが、この技術については、本願に先立ち、平成１２年５月２２日付で特許出願をしております（特願２０００−１４９３０６号）。また、平成１４年９月１１日付で提出された刊行物提出書の資料４には、通産保険金額等に基づいて保険契約者のランク付けを行い、ランクに応じて保険料率を決定し、保険料割引を行う方法が既に存在していたことを示しております。
　このように、「契約者の保険金額及び基本保険料に基づいてその取引量を算出し、その取引量に応じて段階的に割引率を設定し、その割引率に基づいて保険料を算出するような保険料算出システム」はすでに既存技術として実施されており、「おいて」以降に記載されている、請求項２、請求項４及び請求項６に係る発明の特定事項においては、すでに実施している保険料算出システムと同じルールに従って取引量を算出することが前提となります。従って、契約者の保険金額と基本保険料から定まった方法によって取引量を算出しているのであれば、どのような方法によるかは限定されません。段落【００３６】において、「この求めた保険料ＣＰ´に基づいて契約者の取引量がランク１に該当するか否か判断する（Ｆ５）。この判断のための取引量の計算は、例えば、ステップＦ４で求めた保険料ＣＰ´と保険金額に基づいて所定の算式を用いて行う。」と記載されているように、コンピュータの処理としては、所定の算式によって取引量を計算することになります。』
　
（２）当審の判断
（２−１）責任準備金や配当金などのデータの取得について
　発明の詳細な説明の段落【００２０】の「図３（ａ）は、顧客ファイル９ａのデータ構造を示す。顧客ファイル９ａには、顧客番号２５とリンクして、顧客の名前２７、生年月日２９、住所３１が格納され、さらにその下位に保有契約情報３３等が格納されている。保有契約情報３３としては、顧客が今までに締結した保険契約の契約番号３７（証券番号）がすべて格納されている。各顧客のデータは、顧客番号２５、名前２７、生年月日２９及び住所３１をキー項目として検索可能である。」の記載及び同【００２１】の「顧客から初回保険料キャッシュレス契約転換を利用した契約転換の申し込みがあったときは、図２中の支部３において、端末装置１９あるいは携帯情報端末２３を用いて、顧客の名前及び生年月日を入力し（Ｓ１）、顧客ファイル９ａ（図３参照）にアクセスして当該顧客データを呼び出し、端末装置１９あるいは携帯情報端末２３の表示装置に表示させる（Ｓ２）。次に、顧客が契約転換を希望する既存の保険契約を選択し、初回保険料キャッシュレス契約転換申込処理モードに移行する（Ｓ３）。初回保険料キャッシュレス契約転換申込処理では、顧客が希望する新しい保険契約の保険要項（保険種類、保険金額等）を入力する（Ｓ４）。一方、現在契約中の保険契約の転換価格Ｃ（責任準備金や配当金など）を計算する（Ｓ５）。」の記載について以下に検討する。
　上記の段落【００２０】および【００２１】の記載では、「顧客ファイル（９ａ）」から顧客データを呼び出しているが、契約ファイルをアクセスして各契約の契約内容のデータを呼び出しているとは認められず、また、顧客ファイルの顧客データには責任準備金や配当金などのデータは含まれていないので、上記請求人の主張を採用することができず、現在契約中の保険契約の転換価格の計算に必要な責任準備金や配当金などのデータをどのようにして取得するのか不明である。 
　したがって、発明の詳細な説明が、請求項１−６に係る発明を当業者が容易に実施できる程度に明確かつ十分に、記載されているとは認められない。 
　
（２−２）取引量の算出について
　審判請求人の提示した資料５の日本生命保険相互会社「ご契約のしおり」の第８−１０頁の「ニッセイ保険口座による「はいるほど割引のご説明」に関する記載内容をみても、保険金額及び基本保険料から取引量（取引高）をどのように算出するのか不明である。
　また、審判請求人の提示した特願２０００−１４９３０６号の公開公報（特開２００１−３３１６５０号（公開日　２００１年１１月３０日））には、既存保険契約の保険金額及び基本保険料とに基づいて契約者の取引量の算出について算出の具体的内容が記載されているものの、当該公開公報の公開日が本件出願日よりも後であるので、算出の具体的内容が公知であるとは認められず、当然に、周知事項とも認められない。
　そうすると、発明の詳細な説明の段落【００３４】の「ところで、図４に示したフローチャートは、新契約の保険料率αが一義的に決定される場合に用いることができる。しかしながら、保険料の算出について、契約者の保険金額及び基本保険料に基づいてその取引量を算出し、その取引量に応じて段階的に割引率を設定し、その割引率に基づいて保険料を算出するような保険料算出システムが採用されている場合、初回保険料キャッシュレス契約転換処理はより複雑になる。キャッシュレス保険料の計算を開始するときに、割引率のランクが不明なので、割引ランクを仮置きしそれに基づいた保険料率で試行錯誤的にキャッシュレス保険料の計算を行わなければならないからである。」の記載では、契約者の保険金額及び基本保険料をどのように情報処理して取引量を算出するのか不明である。
　また、同段落【００３６】の記載では、所定の計算式で算出することが記載されているものの、その所定の計算式がどのような計算式か具体的に記載されていないので、契約者の保険金額及び基本保険料のデータをどのように情報処理して取引量を算出するのか不明である。
　したがって、発明の詳細な説明が、請求項２、４、及び６に係る発明を当業者が容易に実施できる程度に明確かつ十分に、記載されているとは認められない。 
　
（３）まとめ
　以上のとおり、発明の詳細な説明が、請求項１−６に係る発明を当業者が容易に実施できる程度に明確かつ十分に、記載されているとは認められないので、本件出願は、特許法第３６条第４項に規定する要件を満たしていない。
　
７．理由Ｃについて
（１）理由Ｃに関する審判請求人の主張の概要
　理由Ｃに対する審判請求人の主張の概要は、平成２０年１２月５日付の意見書からみて以下のとおりである。
『（ｉｉｉ）請求項２・請求項４・請求項６についての（２）でご指摘を受けた事項について
　拒絶理由Ｂの２．の項で説明致しましたように、「前記顧客ファイルの保有契約情報と前記契約ファイルに契約番号と関連づけて記憶された既存保険契約の保険金額及び基本保険料とに基づいて契約者の取引量を算出し」の記載を、「前記顧客ファイルの保有契約情報と前記契約ファイルに契約番号と関連づけて記憶された既存保険契約の保険金額及び基本保険料から契約者の取引量を所定の算式を用いて算出し」と補正致しました。』
　
（２）当審の判断
　上記２．で述べたとおり、平成２０年１２月５日付の手続補正は却下されたので、平成２０年１２月５日付の手続補正により補正された記載に基づく上記主張は採用することができない。
　また、審判請求人の提示した資料５の日本生命保険相互会社「ご契約のしおり」の第８−１０頁の「ニッセイ保険口座による「はいるほど割引のご説明」に関する記載内容をみても、保険金額及び基本保険料から取引量（取引高）をどのように算出するのか不明である。
　また、審判請求人の提示した特願２０００−１４９３０６号の公開公報（特開２００１−３３１６５０号（公開日２００１年１１月３０日））には、既存保険契約の保険金額及び基本保険料とに基づいて契約者の取引量の算出について算出の具体的内容が記載されているものの、当該公開公報の公開日が本件出願日よりも後であるので、算出の具体的内容が公知であるとは認められず、当然に、周知事項とも認められない。
　請求項２、４、６の「前記顧客ファイルの保有保険契約情報と前記契約ファイルに契約番号と関連づけて記憶された既存保険契約の保険金額及び基本保険料とに基づいて契約者の取引量を算出し」の記載では、既存保険契約の保険金額及び基本保険料の情報をどのように情報処理して契約者の取引量を算出するのか不明である。
　したがって、上記の点で請求項２、４、及び６の記載内容が不明りょうであるため、請求項２、４、及び６に係る発明が明確であるとは認められない。
　
（３）まとめ
　以上のとおり、請求項２、４、及び６に係る発明が明確であるとは認められないので、本件出願は、特許法第３６条第６項第２号に規定する要件を満たしていない。
　
８．むすび
　上記５．で述べたとおり、平成１９年８月２７日付でした手続補正は、新たな技術的事項を導入するものであり、新規事項を追加するものであるので、平成１４年法律第２４号改正附則第３条第１項によりなお従前の例によるとされる同法による改正前の特許法第１７条の２第３項の規定に違反する。
　また、上記６．で述べたとおり、発明の詳細な説明が、請求項１−６に係る発明を当業者が容易に実施できる程度に明確かつ十分に、記載されているとは認められないので、本件出願は、特許法第３６条第４項に規定する要件を満たしていない。
　さらに、上記７．で述べたとおり、請求項２、４、及び６に係る発明が明確であるとは認められないので、本件出願は、特許法第３６条第６項第２号に規定する要件を満たしていない。
　よって、結論のとおり審決する。